(57)【要約】【課題】  魚釣用スピニングリールにおいて、リール本体を小型化することで、リールを軽量化して操作性を向上させる。【解決手段】  先端にスプール１を有し、ハンドル１５の回転により前後往復運動するスプール軸２に、スプール軸２と平行に設けたピラー１４に摺動自在に係合する摺動体１２を設け、摺動体１２をピラー１４によって案内するようにした魚釣用スピニングリールにおいて、ピラー１４を、摺動体１２のストローク後端よりもスプール１側に設けた。【選択図】          図１
2006197855.tif 000002
【特許請求の範囲】
【請求項１】
先端にスプールを有し、ハンドルの回転により前後往復運動するスプール軸に、該スプール軸と平行に設けたピラーに摺動自在に係合する摺動体を設け、該摺動体を前記ピラーによって案内するようにした魚釣用スピニングリールにおいて、
前記ピラーを、前記摺動体のストローク後端よりもスプール側に設けたことを特徴とする魚釣用スピニングリール。
【請求項２】
請求項１に記載された魚釣用スピニングリールにおいて、
前記ピラーの後端は、前記摺動体後端のストローク前端位置の近傍に配置されていることを特徴とする魚釣用スピニングリール。
【請求項３】
請求項１又は２に記載された魚釣用スピニングリールにおいて、
前記摺動体は、一端部が前記スプール軸の後端部に取り付けられ、かつ他端に前記ピラーに係合する案内部を有することを特徴とする魚釣用スピニングリール。
【請求項４】
請求項３に記載された魚釣用スピニングリールにおいて、
前記案内部は前記摺動体からスプール側に延在するアームからなることを特徴とする魚釣用スピニングリール。
【発明の詳細な説明】
【技術分野】
【０００１】
本発明は、ハンドルの回転運動をスプール軸の前後動に変換し、スプール軸の前部に設けられたスプールに前後進動作を与えて釣糸を巻き取る魚釣用スピニングリールに関する。
【背景技術】
【０００２】
一般に魚釣用スピニングリールでは、ハンドル操作で連動回転されるロータを固定した回転軸筒内に、先端にスプールを設けたスプール軸が前後動可能に挿通されており、ハンドル操作で連動回転する釣糸案内部を有するロータを介して前後動するスプールの外周に釣糸を巻き取るようになっている。
【０００３】
このスプール軸の後部にはハンドルの回転を前後方向に動力伝達する摺動体が取り付けられており、ハンドルの回転操作に連動する往復動装置を介して摺動体によりスプール軸が前後往復動される。その際、摺動体のガタ付きを防止してスプール軸の往復動を滑らかにし、円滑な釣糸の巻き取り操作が行えるようにするため、リール本体の前後支持部間に杆又は小柱状のピラーが架設されており、他方、摺動体には前記ピラーに嵌合する孔を備えたピラー案内部が設けられている。（例えば、特許文献１又は特許文献２参照）。
【０００４】
このピラー案内部は、摺動体とスプール軸の連結部の近くに設けられており、かつピラーは、前後方向に所定のストロークで移動する摺動体を案内するため、リール本体の後部で前方側支持部と本体壁部に設けられた後方側支持部間に架設されている。しかも、スプール軸の前後動に支障が出ないようにするには、連結部をスプール軸の後端に位置する必要があり、それに伴ってピラーも摺動体のストローク後端位置まで延在させる必要がある。そのため、その分リール本体が大型化・重量化し、リールの操作性が低下するという問題がある。
【０００５】
【特許文献１】実開昭５９−９０３７１号公報
【特許文献２】特許第３３９２２６７号公報
【発明の開示】
【発明が解決しようとする課題】
【０００６】
本発明は、前記従来の問題に鑑みなされたものであって、その目的は、魚釣用スピニングリールにおいて、リール本体を小型化することで、リールを軽量化して操作性を向上させることである。
【課題を解決するための手段】
【０００７】
請求項１の発明は、先端にスプールを有し、ハンドルの回転により前後往復運動するスプール軸に、該スプール軸と平行に設けたピラーに摺動自在に係合する摺動体を設け、該摺動体を前記ピラーによって案内するようにした魚釣用スピニングリールにおいて、前記ピラーを、前記摺動体のストローク後端よりもスプール側に設けたことを特徴とする。
請求項２は、請求項１に記載された魚釣用スピニングリールにおいて、前記ピラーの後端は、前記摺動体後端のストローク前端位置の近傍に配置されていることを特徴とする。
請求項３の発明は、請求項１又は２に記載された魚釣用スピニングリールにおいて、前記摺動体は、一端部が前記スプール軸の後端部に取り付けられ、かつ他端に前記ピラーに係合する案内部を有することを特徴とする。
請求項４の発明は、請求項３に記載された魚釣用スピニングリールにおいて、前記案内部は前記摺動体からスプール側に延在するアームからなることを特徴とする。
【発明の効果】
【０００８】
本発明によれば、リール本体を小型化でき、従って軽量化でき、リールの操作性を向上することができる。
【発明を実施するための最良の形態】
【０００９】
本発明の魚釣用スピニングリールの一実施の形態を図面を参照して説明する。図１は、本実施形態に係る魚釣用スピニングリールの側断面図であり、図２は、図１の魚釣用スピニングリールの拡大図、図３は、図１のＡ−Ａ線に沿った要部拡大断面図である。
【００１０】
本魚釣用スピニングリールは、図１に示すように、先端にスプール１を有するスプール軸２を備え、かつ、このスプール軸２はリール本体３に前後が軸受け１８、１９で回転自在に支持された回転軸筒４内に挿通され、かつ、リール本体３内に設けられたオシレート歯車１１、摺動体１２、ピラー１４等からなる往復動装置５によって前後方向に往復摺動されるように構成されている。
【００１１】
前記回転軸筒４の先端にはロータ６を固定すると共に、その後部にはハンドル軸７の駆動ギア８と噛み合うピニオン９を設け、ハンドル軸７の回転により前記駆動ギア８及びピニオン９を介してロータ６を回転し、ロータ６に係止した釣糸をスプール１に巻き取るようにしている。
【００１２】
前記往復動装置５は、スプール１に固定されたスプール軸２を前後方向に移動させることでスプール１を同方向に移動させることができ、図２、図３に拡大して示すように、ハンドル軸７に一体的に設けた歯車１０に噛み合ってこれと連動するオシレート歯車１１と、スプール軸２の後部に取り付けられた摺動体１２と、摺動体１２の往復動を案内するスプール軸２と平行に設けられた杆又は小柱状のピラー１４とを備えている。
【００１３】
なお、ハンドル軸７の歯車１０近傍の外周にはＯリング１０ａが巻着されてオシレート歯車１１の歯部近傍の外周部１１ｂに圧接されており、ハンドル軸７の回転を歯車１０とオシレート歯車１１の噛み合いに加えて、Ｏリング１０ａの弾性摩擦力でもオシレート歯車１１に伝達するようになっており、歯車同士の噛み合いによるバックラッシュ現象（噛み合いガタ）を防止するように構成されている。
【００１４】
オシレート歯車１１は、リール本体に軸受部材により回転可能に取り付けられ、歯車１０と噛み合う歯部、回転を摺動体１２に伝達するための突起１１ａを有している。摺動体１２は、スプール軸２と連結するための非円形の穴等を備えた連結部１２ｄ、案内溝１２ａが設けられた前後方向に屈曲して縦に延びる本体部１２ｅ、上下の略中間位置でリール前方側に屈曲した形状となる腕部１２ｃとピラー案内部１２ｂから構成されている。また、オシレート歯車１１の突起１１ａは、その回転中心軸から偏心した位置に設けられており、他方摺動体１２の内側には、前記突起１１ａが嵌合する前後方向にクランク状に屈曲して縦に延びた経路からなる案内溝１２ａ（図２）が設けられている。
【００１５】
往復動装置５は以上のような構成であるため、ハンドル１５の回転操作でハンドル軸７が回転すると、ハンドル軸７上の歯車１０が回転し、それと噛み合うオシレート歯車１１が回転する。これにより、同歯車１１に設けられた突起１１ａも回転する。ここで、突起１１ａは摺動体１２の案内溝１２ａの前記前後方向に屈曲し縦に延びた経路内で案内されて回転するため、摺動体１２は、前記突起１１ａの回転に伴って前記案内溝１２ａを介して駆動されてストローク前端位置Ｆとストローク後端位置Ｒの前後方向にわたって往復動し、これに伴い摺動体１２に取り付けられたスプール軸２も軸方向に前後動する。
【００１６】
このように、突起１１ａと案内溝１２ａは、ハンドル軸７の回転運動をスプール軸２の直線往復運動に変換する変換手段を構成している。
【００１７】
なお、本実施形態においては往復動装置としてオシレーティング機構について説明したが、トラバースカム機構等その他の周知の往復動装置を用いることもできる。
【００１８】
本実施形態では、摺動体１２のガタ付きを防止してスプール軸２が滑らかに往復動できるように、リール本体３の底部の前後部に設けた前方支持部１６と後方支持部１７に両端が支持されたピラー１４が設けられており、他方、摺動体１２は、ピラー１４に嵌合する孔１２ｆを備え、ピラー１４に前後動可能に摺動案内支持されるピラー案内部１２ｂを有している。
【００１９】
本実施形態の魚釣り用スピニングリールでは、このピラー案内部１２ｂは、摺動体１２とスプール軸２との連結部１２ｄ（ネジ２０で両者を締結固定する部位）よりスプール１を備えたリール前方側にずらして配置されており（ピラー１４の後端（リール後方側）は、摺動体１２後端のストローク前端位置の近傍に配置されているのが好ましい）、かつこれに対応するように、摺動体１２の前記ピラー案内部１２ｂと一体の腕部１２ｃは、図２に示すようにその上下の略中間位置でリール前方側に屈曲したアーム形状に形成されている。
【００２０】
このように、リール本体３の底部に設けられたピラー１４を、摺動体１２とスプール軸２の連結部１２ｄのストローク後端位置Ｒよりリール前方側にずらして配置したことにより、そのずらした分だけ、リール本体３の前記ピラー１４収容部分の前後寸法を従来のものより短くすることができる。そのため、リール本体３の外側に取り付けられるカバー２１（リール本体３の底部から後部にかけて取り付けられ、リール本体３の露出される支持部の開口部を覆う）を含め装置全体を小型化、軽量化できると共に、その分リールの操作性も向上する。
【図面の簡単な説明】
【００２１】
【図１】本発明の一実施例を示す魚釣用スピニングリールの側断面図である。
【図２】図１の魚釣用スピニングリールの要部拡大断面図である。
【図３】図１のＡ−Ａ線に沿った要部拡大断面図である。
【符号の説明】
【００２２】
１・・・スプール、２・・・スプール軸、３・・・リール本体、４・・・回転軸筒、５・・・往復動装置、６・・・ロータ、７・・・ハンドル軸、８・・・駆動ギア、９・・・ピニオン、１０・・・歯車、１０ａ・・・Ｏリング、１１・・・オシレート歯車、１１ａ・・・突起、１１ｂ・・・外周部、１２・・・摺動体、１２ａ・・・案内溝、１２ｂ・・・ピラー案内部、１２ｃ・・・腕部、１２ｄ・・・連結部、１２ｅ・・・本体部、１２ｆ・・・孔、１４・・・ピラー、１５・・・ハンドル、１６・・・前方支持部、１７・・・後方支持部、１８・・・軸受け、１９・・・軸受け、２０・・・ネジ、２１・・・カバー
【図１】
2006197855.tif 000003
【図２】
2006197855.tif 000004
【図３】
2006197855.tif 000005